(57)【要約】      （修正有）【課題】梯子の登る時や、作業中に作業補助者がいなくても、ひとりで高所作業を安全にかつ安心して行うことができる梯子を提供する。【解決手段】各種高所作業に使用する、伸縮しない梯子１、または複数段の伸縮梯子１３において、伸縮しない梯子１の梯子部２の両側部６に、並びに伸縮する梯子１３の最下段梯子部２ａの両側部６に、梯子の昇り降りや作業中に、梯子が両側方向に揺れたり倒れたりすることがなく、安全に昇り降りや高所作業を行うことができるように、使用時に前記梯子部を両側から支持する梯子支持杆３を設けた。【選択図】  図１
2005120737.tif 000002
【特許請求の範囲】
【請求項１】
梯子部の両側部に、使用時に前記梯子部を両側から支持する梯子支持杆を設けたことを特徴とする梯子。
【請求項２】
複数段に伸長できかつ最下段梯子部に上段の梯子部を収縮する伸縮できる梯子であって、最下段梯子部の両側部に、使用時に両側から支持する梯子支持杆を設けたことを特徴とする梯子。
【請求項３】
梯子部または伸縮できる梯子の最下段梯子部に、使用時に前側から支持する梯子前支持杆を設けたことを特徴とする請求項１または２記載の梯子。
【請求項４】
梯子支持杆または梯子前支持杆は、上部支持杆と下部支持杆とを伸縮自在に接続した構成であることを特徴とする請求項１、２または３記載の梯子。
【発明の詳細な説明】
【技術分野】
【０００１】
本発明は庭木の剪定作業をはじめ各種の高所作業に使用する梯子に関するものである。
【背景技術】
【０００２】
従来、庭木の剪定作業や、建物の高所の窓拭きや壁面補修、或いは屋外及び屋外での配線工事等の作業を行う場合には、一本梯子と呼ばれている伸縮しない梯子や、繋ぎ梯子（二連伸縮梯子、三連伸縮梯子等）と呼ばれている伸縮する梯子を用いている。
【０００３】
例えば高所作業を行うことができる伸縮梯子の場合は、収縮させてある状態の各段の梯子部分を伸長させて、伸長状態を保持するように固定し、この長くした梯子を例えば剪定する庭木や建物の壁面等、作業の種類に応じて所望の箇所に斜めに立て掛ける。そして、安全性を考慮して梯子に登る時や作業中は、作業補助者に梯子を下で持ってもらって倒れないようにして作業を行っている。
【０００４】
しかしながら、従来の梯子では、前記したように作業補助者に梯子を支持してもらわなければ安全に作業を行うことができなかった。そのため、従来の梯子を使ってひとりで高所作業を行わねばならない場合は、大変危険な作業を強いられ安全上の観点から問題であった。
【０００５】
なお、梯子に関する特許文献としては次のような文献がある。
【特許文献１】特開２００１−０２０６４５号公報
【特許文献２】特開２００１−２６２９６３号公報
【特許文献３】特開２００２−２２０９８３号公報
【発明の開示】
【発明が解決しようとする課題】
【０００６】
本発明は前記のような問題点に鑑みて開発されたものであり、その目的はひとりでも高所作業を安全にかつ安心して行うことができる梯子を提供することにある。
【課題を解決するための手段】
【０００７】
上記のような目的を達成するために、請求項１記載の本発明の梯子は、梯子部の両側部に、使用時に前記梯子部を両側から支持する梯子支持杆を設けたことを特徴とする構成である。
【０００８】
また、請求項２記載の本発明の梯子は、複数段に伸長できかつ最下段梯子部に上段の梯子部を収縮する伸縮できる梯子であって、最下段梯子部の両側部に、使用時に両側から支持する梯子支持杆を設けたことを特徴とする構成である。
【０００９】
また、請求項３記載の本発明の梯子は、請求項１または２記載の梯子において、梯子部または伸縮できる梯子の最下段梯子部に、使用時に前側から支持する梯子前支持杆を設けたことを特徴とする構成である。
【００１０】
また、請求項４記載の本発明の梯子は、請求項１、２または３記載の梯子において、梯子支持杆または梯子前支持杆は、上部支持杆と下部支持杆とを伸縮自在に接続した構成であることを特徴とする構成である。
【発明の効果】
【００１１】
本発明の梯子は、庭木の剪定作業や建物の高所の窓拭き作業や壁面作業等の高所作業を行う際に適宜の角度に傾けて、木や建物の壁面等に上部を当接させて立てた時、両側に設けた梯子支持杆で梯子部、並びに伸縮梯子であれば最下段梯子部を両側から支持できるので、登り降りの時や作業中に、両側方向に揺れたり倒れたりするといったこともなく、安心して登り降りや高所作業を行うことができる。したがって、作業中等に補助者が梯子を支えておく必要もなくなる。
【００１２】
また、作業中に梯子の片側に身体を移動させて体重が梯子の片側に偏ることがあっても、梯子支持杆の支持によって梯子が簡単に倒れることもなく、安全に作業を行うことができる。
【００１３】
また、梯子支持杆が伸縮するものであれば、梯子部、並びに伸縮梯子であれば最下段梯子部に対して側方への開き角度を、作業者の安心する任意角度に決めて開き、前記梯子部、並びに最下段梯子部を支持させることができるので、高所作業を安心して安全に行うことができる。
【００１４】
また、梯子部、並びに伸縮梯子であれば最下段梯子部に、梯子前支持杆を設けて、作業中の梯子を前側（傾けた梯子の手前側）からも支持することができるので、梯子が手前に倒れるのを防止できてより安全に高所作業を行うことができる。
【発明を実施するための最良の形態】
【００１５】
以下、本発明を実施するための最良の形態を図に示す例に基づいて説明する。
図１は伸縮しない本発明に係る１段の梯子１を示す図であって、この梯子１は梯子部２と一対の梯子支持杆３とによって構成されている。梯子部２および各梯子支持杆３はアルミ製またはアルミ合金製である。
【００１６】
梯子部２は、所定長さの１対の縦杆４を所定間隔をもって対峙させ、この両縦杆４の下端近傍から上端近傍まで複数の円筒状の横杆５を所定間隔を以って横設したものである。
【００１７】
梯子部２の上部寄りの両側部６には、梯子支持杆３の上端部７をヒンジ接続してある。すなわち、梯子部２の両縦杆４の外側の上部寄りには、所定間隔を以って水平方向に１対のブラケット８(図２参照)が突設してあり、この各ブラケット８には孔９が穿設してある。一方、各梯子支持杆３の上端部７にも前記両ブラケット８の間に挿入できる連結部材１０が設けてあり、挿入時に前記孔９と一致する箇所に貫通孔１１を穿設してある。
【００１８】
そして前記両ブラケット８の間に梯子支持杆３の連結部材１０を挿入し、各孔９、貫通孔１１に、一端にフランジ部を形成した係止ピン１２を一方の孔９から他方の孔９まで貫通孔１１を介して通し、係止ピン１２の端部にこの例ではナット１５を設けて梯子支持杆３を梯子部２の両側部６に揺動自在に設けてある。勿論、ナット１５を使用せずに係止ピン１２の端部に貫通孔（図示省略）を形成し、この貫通孔に割りピン（図示省略）を通して、係止ピン１２を両ブラケット８に係止するようにしてもよい。
【００１９】
前記した梯子支持杆３が伸縮しない構成のものでは、その長さは梯子１を使用しないときに縦杆４に当接するように畳んだ時、両縦杆４の下端位置より少し長くなる長さにしてある。このことにより梯子１を使用するときに、梯子部２の上部を建物の壁面等に当て、梯子部２を両側から梯子支持杆３で側方（左右方向）に開いて下端を地面等に立てることによって、梯子部２を両側から梯子支持杆３で支持することができる。
【００２０】
このようにして梯子１を使用することにより、梯子部２の上部に登って高所の作業をしても、梯子部２は両側の梯子支持杆３で支持されているので、梯子部２が両側方向（左右方向）に倒れることもなく安心して高所作業を行うことができる。
【００２１】
また、図３、図４に示すように前記梯子支持杆３が伸縮する構成のものでは、梯子支持杆３の上端部７を梯子部２(図１参照)の両側部に前記のようにヒンジ接続する上部支持杆３ａと、この上部支持杆３ａに伸縮自在に設けた下部支持杆３ｂとからなる。
【００２２】
前記下部支持杆３ｂは、上部支持杆３ａの下端から内部側に収納できかつ外に引き出せるように伸縮自在に上部支持杆３ａに係合させてあり、梯子部２を立てて梯子１を使用する際には、梯子部２を地面等に立てた後に、各梯子支持杆３を所望の角度だけ側方に開きながら下部支持杆３ｂを上部支持杆３ａから引き出し、下端を地面に接地させて梯子部２を両側から支持する。このように梯子支持杆３が伸縮できるものでは、任意の角度に梯子支持杆３を開いて梯子部２を支持することができ、作業者の納得できる角度に梯子支持杆３を開いて梯子部２を支持させた状態で安心して高所作業を行うことができる。
【００２３】
図５は、複数段に伸縮する本発明に係る伸縮梯子１３に関する図である。なお、便宜上、前記した梯子１と同一の箇所には同一符合を付して説明を省略する。この伸縮梯子１３は梯子部２（２ａ、２ｂ）と一対の梯子支持杆３とによって構成されている。各梯子部２および一対の梯子支持杆３はこの例ではアルミ製またはアルミ合金製である。
【００２４】
前記梯子部２は、最下段梯子部２ａとこの最下段梯子部２ａに沿って伸縮できる２段目梯子部２ｂとからなり、２段目梯子部２ｂを最下段梯子部２ａに設けて、最下段梯子部２ａに沿って２段目梯子部２ｂを伸長させたり、最下段梯子部２ａに沿って２段目梯子部２ｂを収納(収縮)させたりできるようにしてある。さらに２段目梯子部２ｂを伸長させた時に所望位置で固定できるように、最下段梯子部２ａの横杆５に係止するフック１４が、２段目梯子部２ｂに設けてある。
【００２５】
前記最下段梯子部２ａの各縦杆４の側部６には、前記した例の梯子１と同様の梯子支持杆３がそれぞれ前記の例と同様の構成で設けてある。梯子支持杆３は、伸縮しないもの、または伸縮するものである。
【００２６】
この例の伸縮梯子１３においても高所作業をする際には、２段目梯子部２ｂを最下段梯子部２ａから引き出して伸長させ、フック１４を最下段梯子部２ａの所望の横杆５に係止させて、２段目梯子部２ｂを伸長させた状態で最下段梯子部２ａに固定する。この２段目梯子部２ｂの上端部を壁面等に当接させて所謂梯子を立てるとともに、最下段梯子部２ａの両側の梯子支持杆３を開いて接地させ、両梯子支持杆３で伸長した梯子部２を支持する。このように両梯子支持杆３で梯子部２を支持することにより、安定した状態に伸縮梯子１３を保持でき、この梯子１３に登って高所作業を安心して行うことができる。梯子支持杆３が伸縮できるものでは、梯子１３を立てるときに前記した例と同様に長さ調節して使用すればよい。
【００２７】
図６は本発明に係る他の例の二連伸縮梯子１３ａを示す図であって、この二連伸縮梯子１３ａは、前記した図５に示す二連伸縮梯子１３と同様の構成に、さらに前側（手前側）に開脚できるように、最下段梯子部２ａに２本の各梯子前支持杆１６を設けたものである。各梯子前支持杆１６は、最下段梯子部２ａに対して前方に揺動可能に上端部を最下段梯子部２ａに設けてある。各梯子前支持杆１６は、前記した例の梯子支持杆３と同様に伸縮して長さを調節できる。勿論、各梯子前支持杆は、長さの調整できない１本ものであってもよい。他の構成は伸縮梯子１３と同様であり同一符合を付して説明を省略する。
【００２８】
なお、伸縮梯子は、２段に伸ばすことができる前記伸縮梯子(二連伸縮梯子)に限らず、３段以上に伸びる伸縮梯子であってもよい。また、各梯子支持杆３、各梯子前支持杆１６の使用時における開脚角度を保持できるように（梯子支持杆３が自然にまたは人為的に拡がらないように）、梯子部２または最下段梯子部２ａと各梯子支持杆３および梯子前支持杆とを鎖または紐等で繋ぐ構成とするのが好ましい。また、前記各縦杆４の下端部、各梯子支持杆３の下端部、および各梯子前支持杆１６の下端部には、滑り止め用のゴム（図示省略）を設けるのが好ましい。また、前記伸縮する各梯子支持杆３および各梯子前支持杆１６は、伸縮させて長さ調節した後は、止めねじ等で長さを固定できるようにしてある。
【図面の簡単な説明】
【００２９】
【図１】本発明の梯子１の斜視図である。
【図２】本発明の梯子支持杆３の上端部の説明図である。
【図３】本発明に係る伸縮する梯子支持杆３の収縮時の説明図である。
【図４】本発明に係る伸縮する梯子支持杆３の伸長時の説明図である。
【図５】本発明に係る二連伸縮梯子１３の斜視図である。
【図６】本発明に係る他の例の二連伸縮梯子１３ａの斜視図である。
【符号の説明】
【００３０】
１      梯子
２      梯子部
２ａ    最下段梯子部
３      梯子支持杆
３ａ    上部支持杆
３ｂ    下部支持杆
６      両側部
７      上端部
１３    伸縮梯子
１３ａ  伸縮梯子
１６    梯子前支持杆
【図１】
2005120737.tif 000003
【図２】
2005120737.tif 000004
【図３】
2005120737.tif 000005
【図４】
2005120737.tif 000006
【図５】
2005120737.tif 000007
【図６】
2005120737.tif 000008